【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
画像において最も頻繁に存在する色であるキャプション色を決定するよう前記画像を解析するステップと、
テキスト列を生成するステップと、
前記画像及び前記テキスト列を表示するステップであって、前記テキスト列が前記画像の部分の上に前記キャプション色において表示され、前記画像の前記部分が前記キャプション色と異なった色を有する、ステップと
を有する方法。
【請求項２】
前記キャプション色を所定の色の組において選択するステップ
を更に有する請求項１に記載の方法。
【請求項３】
複数の画像を解析して、夫々の画像について当該画像において最も頻繁に存在する色を決定し、複数の前記最も頻繁に存在する色において最も頻繁に存在する色であるとして前記キャプション色を決定するステップ
を更に有する請求項１に記載の方法。
【請求項４】
複数の画像を解析して、該複数の画像にわたる色変化が最も小さい部分を決定し、該部分を使用して前記テキスト列を表示するステップ
を更に有する請求項１に記載の方法。
【請求項５】
テキスト列を受け取る入力部と、
画像を記憶するメモリと、
前記画像において最も頻繁に存在する色であるキャプション色を決定するよう前記画像を解析するプロセッサと、
前記画像及び前記テキスト列を表示するディスプレイであり、該テキスト列が前記画像の部分の上に前記キャプション色において表示され、前記画像の前記部分が前記キャプション色と異なった色を有する、前記ディスプレイと
を有する装置。
【請求項６】
前記プロセッサは、前記キャプション色を所定の色の組において選択するよう更に構成される、
請求項５に記載の装置。
【請求項７】
前記プロセッサは、複数の画像を解析して、夫々の画像について当該画像において最も頻繁に存在する色を決定し、複数の前記最も頻繁に存在する色において最も頻繁に存在する色であるとして前記キャプション色を決定するよう更に構成される、
請求項５に記載の装置。
【請求項８】
前記プロセッサは、複数の画像を解析して、該複数の画像にわたる色変化が最も小さい部分を決定し、該部分を使用して前記テキスト列を表示するよう更に構成される、
請求項５に記載の装置。
【手続補正２】
【補正対象書類名】明細書
【補正対象項目名】００４８
【補正方法】変更
【補正の内容】
【００４８】
図示及び上述された要素は、様々な形のハードウェア、ソフトウェア又はそれらの組み合わせにおいて実施されてよいことが理解されるべきである。望ましくは、それらの要素は、プロセッサ、メモリ及び入出力インターフェイスを含み得る１つ以上の適切にプログラミングされた汎用デバイスにおいてハードウェアとソフトウェアとを組み合わせて実施される。本明細書は、本開示の原理を説明する。よって、明らかなように、当業者であれば、ここで明示的に記載又は図示されていなくても、本開示の原理を具現し且つその適用範囲内に含まれる様々な配置を想到可能である。ここで挙げられている全ての例及び条件付き言語は、当該技術を促進させることに本発明者によって寄与される概念及び本開示の原理を読者が理解するのを助けるための情報提供を目的とし、そのような具体的に挙げられている例及び条件に制限されないものとして解釈されるべきである。更に、本開示の原理、態様、及び実施形態、並びにその具体例をここで挙げている全ての記述は、それらの構造上及び機能上の等価物を包含するよう意図される。加えて、そのような等価物は、現在知られている等価物及び将来開発される等価物（すなわち、構造に関わらず、同じ機能を実行する開発されたあらゆる要素）の両方を含むことが意図される。よって、例えば、当業者には当然に、これにより提示されているブロック図は、本開示の原理を具現する実例となる回路構成の概念図を表す。同様に、明らかなように、如何なるフローチャート、フロー図、状態遷移図、擬似コード、等も、コンピュータ可読媒体において実質的に表現され、故にコンピュータ又はプロセッサによって（そのようなコンピュータ又はプロセッサが明示的に示されていようとなかろうと）実行され得る様々なプロセスを表す。  
上記の実施形態に加えて、以下の付記を開示する。
（付記１）
主色を決定するよう画像を解析するステップと、
一致色を決定するよう前記主色を複数の色と比較するステップであって、前記一致色は、前記主色の色に最も近い色を有する前記複数の色の中の一色である、ステップと、
テキスト列を生成するステップと、
前記画像及び前記テキスト列を表示するステップであって、前記テキスト列が前記一致色において表示されるステップと
を有する方法。
（付記２）
前記テキスト列は、ユーザ入力に応答して生成される、
付記１に記載の方法。
（付記３）
前記テキスト列は、前記画像の比較に応答して生成される、
付記１に記載の方法。
（付記４）
前記一致色は前記主色である、
付記１に記載の方法。
（付記５）
前記一致色は後退色である、
付記１に記載の方法。
（付記６）
前記一致色は支配色である、
付記１に記載の方法。
（付記７）
前記テキスト列は、前記画像の一部分にわたって表示される、
付記１に記載の方法。
（付記８）
前記テキスト列は、前記画像の一部分にわたって表示され、前記画像の前記一部分は、前記一致色とは異なる色を有する、
付記１に記載の方法。
（付記９）
前記画像の前記一部分は、前記一致色と対照である色を有する、
付記８に記載の方法。
（付記１０）
前記一致色とは異なる第２の主色を有する前記画像の部分を決定するステップと、
前記画像の前記部分にわたって前記テキスト列を表示するステップと
を更に有する付記１に記載の方法。
（付記１１）
前記主色を決定するよう前記画像を解析するステップは、
前記テキスト列を表示する位置を決定するステップと、
前記主色を決定するよう前記位置に近接する前記画像の部分を解析するステップと
を有する、付記１に記載の方法。
（付記１２）
複数の主色を決定し、該複数の主色に応答して前記一致色を決定するよう複数の画像を解析するステップ
を更に有する付記１に記載の方法。
（付記１３）
テキスト列を受け取る入力部と、
画像を記憶するメモリと、
主色を決定するよう前記画像を解析し、前記主色を複数の色と比較して一致色を決定するプロセッサであって、前記一致色は、前記主色の色に最も近い色を有する前記複数の色の中の一色である、前記プロセッサと、
前記画像及び前記テキスト列を表示し、該テキスト列が前記一致色において表示されるディスプレイと
を有する装置。
（付記１４）
前記テキスト列は、ユーザ入力に応答して生成される、
付記１３に記載の装置。
（付記１５）
前記テキスト列は、前記画像の比較に応答して生成される、
付記１３に記載の装置。
（付記１６）
前記一致色は前記主色である、
付記１３に記載の装置。
（付記１７）
前記一致色は後退色である、
付記１３に記載の装置。
（付記１８）
前記一致色は支配色である、
付記１３に記載の装置。
（付記１９）
前記テキスト列は、前記画像の一部分にわたって表示される、
付記１３に記載の装置。
（付記２０）
前記テキスト列は、前記画像の一部分にわたって表示され、前記画像の前記一部分は、前記一致色とは異なる色を有する、
付記１３に記載の装置。
（付記２１）
前記画像の前記一部分は、前記一致色と対照である色を有する、
付記２０に記載の装置。
（付記２２）
前記プロセッサは、前記一致色とは異なる第２の主色を有する前記画像の部分を決定するよう更に構成され、
前記ディスプレイは、前記画像の前記部分にわたって前記テキスト列を表示するよう更に構成される、
付記１３に記載の装置。
（付記２３）
前記主色を決定するよう前記画像を解析する前記プロセッサは、
前記テキスト列を表示する前記画像内の位置を決定し、
前記主色を決定するよう前記画像内の前記位置に近接する前記画像の部分を解析する
よう構成される、付記１３に記載の装置。
（付記２４）
前記プロセッサは、複数の主色を決定し、該複数の主色に応答して前記一致色を決定するよう複数の画像を解析するよう更に構成される、
付記１３に記載の装置。